(57)【要約】【課題】不純物、重金属あるいは農薬成分を除去し、殺菌あるいは除臭可能な水処理の機能を備える水処理ろ過装置を提供する。【解決手段】ろ過筒１は、必要に応じて複数を設置可能で、交換と逆洗の利便性を図るために、各ろ過筒１には連通管５が設けられている。ろ過筒１は、第一ろ過槽１０内の微孔性濾過芯２によって、不純物のろ過を行う。次に、第二ろ過槽１１内のバイオケミカル濾過芯３によって、水中の重金属あるいは農薬成分をろ過する。そして第三層ろ過槽１２の多機能型濾過芯４によって、殺菌あるいは除臭を行う。このような装置によると、複数のろ過槽を利用して、水中に存在している環境あるいは人体に有害な物質を除去することができ、常に清潔な純水を提供することができる。【選択図】図２
2009233623.tif 000002
【特許請求の範囲】
【請求項１】
複数のろ過筒と、
前記ろ過筒の中に設けられ、微孔性濾過芯を有する第一ろ過槽と、
前記ろ過筒の中に設けられ、バイオケミカル濾過芯を有する第二ろ過槽と、
前記ろ過筒の中に設けられ、多機能型濾過芯を有する第三ろ過槽と、
前記バイオケミカル濾過芯を前記ろ過槽に固定する固定デバイスと、
前記バイオケミカル濾過芯を前記ろ過槽に固定する濾過芯台座と、
前記多機能型濾過芯を前記ろ過槽に固定する固定デバイスと、
前記多機能型濾過芯を前記ろ過槽に固定する濾過芯台座と、
前記バイオケミカル濾過芯に設けられ、前記バイオケミカル濾過芯を通過した水を、前記バイオケミカル濾過芯を前記ろ過槽に固定する前記濾過芯台座の内部へ流すための出水口と、
前記バイオケミカル濾過芯を前記ろ過槽に固定する前記濾過芯台座の下方に設けられ、前記濾過芯台座の内部から前記第三ろ過槽へ水を流すための出口と、
前記多機能型濾過芯を前記ろ過槽に固定する前記濾過芯台座の上方に設けられ、前記出口を経た水を第三ろ過槽の中へ流すための入口と、
各前記ろ過筒の間に設置された連通管と、
各前記ろ過筒の前記第三ろ過槽に一端が設けられ、ろ過済みの純水が流出する出水管と、
前記出水管に設けられ、前記出水管の開閉作業を制御する多機能型制御バルブと
前記第一ろ過槽に一端が接続し、ろ過待ちの水を前記第一ろ過槽の中に入れる入水管と、
前記入水管に設けられた多機能型制御バルブと、
前記入水管に一端が接続し、前記ろ過筒内の圧力を放出する排圧管と、
前記排圧管に設けられた排圧バルブと、
前記第一ろ過槽に一端が接続され、前記ろ過筒の逆洗を行った後の汚水を前記第一ろ過槽を通して外部へ出力する汚水管と、
前記汚水管に設けられた多機能型バルブと、
各前記ろ過筒の間に設けられ、逆洗作業を行う逆洗管と、
前記逆洗管に設けられた流量バルブと、
を備えた水処理ろ過装置。
【請求項２】
前記第一ろ過槽にある前記微孔性濾過芯は、全て前記第一ろ過槽の仕切り板に設置し、前記仕切り板は前記第一ろ過槽の筒壁に栓で固定し、前記仕切り板と前記筒璧の間にシールリングを設置することを特徴とする請求項１記載の水処理ろ過装置。
【請求項３】
前記第一ろ過槽は、一つの超音波装置を設置することを特徴とする請求項１記載の水処理ろ過装置。
【請求項４】
前記第二ろ過槽にある前記濾過芯台座と前記第三ろ過槽にある前記濾過芯台座は、全て仕切り板の上あるいは下方に固定設置され、かつ前記仕切り板と前記第二ろ過槽の筒壁に栓で固定し、かつ前記第二ろ過槽の前記筒壁と前記仕切り板の間にシールリングを設置することを特徴とする請求項１記載の水処理ろ過装置。
【請求項５】
前記ろ過筒に圧力メーターを設けて、前記ろ過筒内の圧力を測定することを特徴とする請求項１記載の水処理ろ過装置。
【請求項６】
圧力メーターを設けた複数のろ過筒と、
前記ろ過筒の中に設けられ、微孔性濾過芯を有する第一ろ過槽と、
前記ろ過筒の中に設けられ、バイオケミカル濾過芯を有する第二ろ過槽と、
前記ろ過筒の中に設けられ、多機能型濾過芯を有する第三ろ過槽と、
前記バイオケミカル濾過芯を前記ろ過槽に固定する固定デバイスと、
前記バイオケミカル濾過芯を前記ろ過槽に固定する濾過芯台座と、
前記多機能型濾過芯を前記ろ過槽に固定する固定デバイスと、
前記多機能型濾過芯を前記ろ過槽に固定する濾過芯台座と、
前記バイオケミカル濾過芯に設けられ、前記バイオケミカル濾過芯を通過した水を、前記バイオケミカル濾過芯を前記ろ過槽に固定する前記濾過芯台座の内部へ流すための出水口と、
前記バイオケミカル濾過芯を前記ろ過槽に固定する前記濾過芯台座の下方に設けられ、前記濾過芯台座の内部から前記第三ろ過槽へ水を流すための出口と、
前記多機能型濾過芯を前記ろ過槽に固定する前記濾過芯台座の上方に設けられ、前記出口を経た水を第三ろ過槽の中へ流すための入口と、
各前記ろ過筒の間に設置された連通管と、
各前記ろ過筒の前記第三ろ過槽に一端が設けられ、ろ過済みの純水が流出する出水管と、
前記出水管に設けられ、前記出水管の開閉作業を制御する多機能型制御バルブと
前記第一ろ過槽に一端が接続し、ろ過待ちの水を前記第一ろ過槽の中に入れる入水管と、
前記入水管に設けられた多機能型制御バルブと、
前記入水管に一端が接続し、前記ろ過筒内の圧力を放出する排圧管と、
前記排圧管に設けられた排圧バルブと、
前記第一ろ過槽に一端が接続され、前記ろ過筒の逆洗を行った後の汚水を前記第一ろ過槽を通して外部へ出力する汚水管と、
前記汚水管に設けられた多機能型バルブと、
各前記ろ過筒の間に設けられ、逆洗作業を行う逆洗管と、
前記逆洗管に設けられた流量バルブと、
を備え、
一つあるいは一部の前記ろ過筒において、前記圧力メーターは前記ろ過筒の中の圧力が予定値を超えたと測定した場合、前記逆洗管を起動し前記ろ過筒の逆洗作業を行い、他の前記ろ過筒はろ過作業を持続し、
ろ過作業を持続している前記ろ過筒の純水は、前記逆洗管を通して逆洗作業を行う前記ろ過筒へ進入し、逆洗作業を行うことを特徴とする水処理ろ過装置。
【発明の詳細な説明】
【技術分野】
【０００１】
本発明は、水処理ろ過装置に関する。
【背景技術】
【０００２】
水処理装置の一つの例として、特許文献１が挙げられる。これは、逆洗式ろ過器の構成を改良した従来の水処理装置で、中空になっている本体を備える。本体内には中仕切り板が設けられ、中仕切り板に濾過芯の固定台座が設置されている。濾過芯の固定台座には一つのねじによって濾過芯のフィルターが固定され、中仕切り板に第一水台座および第二水台座が設けられている。一つの中間ループ部は中仕切り板の下方に固定設置され、中間ループ部には一つの透過孔が設けられている。透過孔の周りには一つの内部が中空である中間ループが固定設置され、中間ループの兩側に別々に第一導水孔と第二導水孔が設けられている。中間転換盤は中間ループの内部に設置され、中間転換盤の中に第一水路通路、第二水路通路、第三水路通路および一つのロック溝が設置されている。下蓋には第一水台座、第二水台座、第三水台座、一つの丸い穴および一個以上のねじ穴が設けられ、その下蓋は、ねじ穴とそれに対応している固定デバイスによって、その中間ループ部の下方にねじで固定されている。
【０００３】
このような従来の水処理装置では、外部の供水装置を通して逆洗を行っている。そのため、逆洗後、不純物は濾過芯に残留し、この種類の逆洗ろ過器によって安全な飲用水を提供することは困難であった。
【０００４】
次に、特許文献２を例として挙げる。これは、従来の逆洗排出可能の水質ろ過器構造であり、清水入口管は、第一清水出水管の入口および第二清水出水管の入口にＴ字管によって連結されている。第一清水管の出口は、水質ろ過桶の入水管および第一濁水出水管の入口にＴ字管によって連結されている。第二清水出水管の出口は、ろ過後の清水出口管および第三清水出水管の入口とＴ字管によって連結されている。第三清水接頭の出口は、水質ろ過桶の出水管および第二濁水管の入口にＴ字管によって連結されている。第一濁水出水管の出口は、第二濁水出水管の出口および逆洗濁水出口管にＴ字管によって連結されている。そして第一清水出水管およびろ過後の清水出水管には、別々に常に開けられている開閉器が設けられている。第二清水出水管、第一濁水出水管および第二濁水出水管には、別々に常に閉められている開閉器が設けられている。第二清水出水管の常に閉められている開閉器の後端には、更に一つの逆止バルブが連結されている。これらの全体を組立てることによって、ろ過の過程において、必要に応じて清水を提供し、順序によって適時に正洗または逆洗および排除動作を行い、ろ過後の清流の清潔さが確保される。
【０００５】
このようなろ過器は、第二清水出水管によって逆洗機能を提供するが、交換作業ができないために、逆洗作業を行うたびに、運転を停止しなければならないので、使用者にとって不便であった。
【０００６】
【特許文献１】台湾特許第０９４２１７０９８号明細書
【特許文献２】台湾特許第０９２２１６６３８号明細書
【発明の開示】
【発明が解決しようとする課題】
【０００７】
本発明の目的は、不純物、重金属あるいは農薬成分を除去し、殺菌あるいは除臭できる水処理の機能を備え、清潔な純水を提供可能な多機能型の水処理ろ過装置を提供することにある。
【課題を解決するための手段】
【０００８】
本発明による水処理ろ過装置は、複数のろ過筒を備える。第一ろ過槽は、前記ろ過筒の中に設けられ、微孔性濾過芯を有する。第二ろ過槽は、前記ろ過筒の中に設けられ、バイオケミカル濾過芯を有する。第三ろ過槽は、前記ろ過筒の中に設けられ、多機能型濾過芯を有する。
前記バイオケミカル濾過芯は、固定デバイスと、濾過芯台座とによって前記ろ過槽に固定される。前記多機能型濾過芯は、固定デバイスと、濾過芯台座とによって前記ろ過槽に固定される。
【０００９】
出水口は、前記バイオケミカル濾過芯に設けられ、前記バイオケミカル濾過芯を通過した水を、前記バイオケミカル濾過芯を前記ろ過槽に固定する前記濾過芯台座の内部へ流す。
出口は、前記バイオケミカル濾過芯を前記ろ過槽に固定する前記濾過芯台座の下方に設けられ、前記濾過芯台座の内部から前記第三ろ過槽へ水を流す。
入口は、前記多機能型濾過芯を前記ろ過槽に固定する前記濾過芯台座の上方に設けられ、前記出口を経た水を第三ろ過槽の中へ流す。
【００１０】
連通管は、各前記ろ過筒の間に設置される。
出水管は、各前記ろ過筒の前記第三ろ過槽に一端が設けられ、ろ過済みの純水が流出する。多機能型制御バルブは、前記出水管に設けられ、前記出水管の開閉作業を制御する。
入水管は、前記第一ろ過槽に一端が接続し、ろ過待ちの水を前記第一ろ過槽の中に入れる。多機能型制御バルブは、前記入水管に設けられている。
【００１１】
排圧管は、前記入水管に一端が接続し、前記ろ過筒内の圧力を放出する。排圧バルブは、前記排圧管に設けられている。
汚水管は、前記第一ろ過槽に一端が接続され、前記ろ過筒の逆洗を行った後の汚水を前記第一ろ過槽を通して外部へ出力する。多機能型バルブは、前記汚水管に設けられている。
逆洗管は、各前記ろ過筒の間に設けられ、逆洗作業を行う。
流量バルブは、前記逆洗管に設けられている。
【００１２】
本発明の水処理ろ過装置は、必要に応じて、一個あるいは一個以上のろ過筒を備え、各ろ過筒が純水を供給できると同時に、ろ過筒内に残留している不純物を逆洗し、清潔に除去できる利点を有する。
【００１３】
本発明の水処理ろ過装置は、純水で逆洗を行うことによって、ろ過筒内に残留している不純物を清潔に除去する。そのため、ろ過筒の濾過芯は、水を清潔に維持することができる。
【００１４】
本発明の水処理ろ過装置は、各ろ過筒に複数のろ過槽を設ける。第一ろ過槽内には、微孔性濾過芯を設けることによって不純物をろ過する。第二ろ過槽内にはバイオケミカル濾過芯を設け、ろ過水の中にある重金属あるいは農薬成分をろ過する。第三層ろ過槽には多機能型濾過芯を設け、殺菌あるいは除臭を行う。
【発明を実施するための最良の形態】
【００１５】
以下、本発明の一実施形態を図面に基づいて説明する。
図１および図２で示すように、本発明の水処理ろ過装置は、ろ過筒１を備える。
ろ過筒１は、必要に応じて、一個あるいは一個以上を備える。本実施形態では、本実施形態の作業方法を理解させるために、二個のろ過筒を備えて説明する。図２および図３に示すように、各ろ過筒１内には複数のろ過槽１０、１１および１２が設けられている。
【００１６】
第一ろ過槽１０には、微孔性濾過芯２が設けられ、不純物をろ過する。第一ろ過槽１０には複数の微孔性濾過芯２が設けられ、かつ各微孔性濾過芯２には第一ろ過槽１０の仕切り板１００が設けられている。仕切り板１００は、第一ろ過槽１０の筒壁１０１に栓で固定されている。そして、ろ過されていない水が第二ろ過槽１１へ漏れることを防止するために、シールリング１０２が設けられている。これより、微孔性濾過芯２によって不純物をろ過された純水は、微孔性濾過芯２の濾過芯２０を通過してから、内部通路２１に進入し、下方の出口２２を経て第二ろ過槽１１の中へ流れ込む。また第一ろ過槽１０に超音波装置２３を設け、超音波装置２３によって生じた超音波を利用して、ろ過殺菌を行う。
【００１７】
第二ろ過槽１１には、複数のバイオケミカル濾過芯３が設けられている。各バイオケミカル濾過芯３には出水口３０が設けられている。そしてバイオケミカル濾過芯３には、デバイス３１と濾過芯台座３２とが固定されている。また濾過芯台座３２の下方に出口３３を設けられている。これよって、第二ろ過槽１１の水は、バイオケミカル濾過芯３を通過し、水中の重金属あるいは農薬成分が除去された後、きれいな純水は、上記のバイオケミカル濾過芯３の出水口３０より濾過芯台座３２の内部へ流れ、濾過芯台座３２の下方にある出口３３を経て、第三ろ過槽１２の中へ流れ込む。
【００１８】
第三ろ過槽１２には、複数の多機能型濾過芯４が設けられている。各多機能型濾過芯４には入口４０が設けられている。また、各多機能型濾過芯４には、デバイス４１と濾過芯台座４２とが固定されている。濾過芯台座４２の上方に入口４３を設けることによって、第二ろ過槽１１を通過した純水は、濾過芯台座３２の下方にある出口３３を経て、第三ろ過槽１２の濾過芯台座４２の入口４３へ進入し、多機能型濾過芯４の入口４０を通って、多機能型濾過芯４を通過し、第三ろ過槽１２の中へ流れ込む。
【００１９】
図４から図６に示すように、入水管５１から第一ろ過槽１０に流れ込んだ水は、第一ろ過槽１０の微孔性濾過芯２を通過し、更に第二ろ過槽１１のバイオケミカル濾過芯３を通過し、最後は第三ろ過槽１２の多機能型濾過芯４を通ると、連通管５の出水管５０を経て、外側へ流れて利用される。
【００２０】
第二ろ過槽１１の濾過芯台座３２と第三ろ過槽１２の濾過芯台座４２とは、全ての仕切り板１１０の上あるいは下方に固定して設置されている。仕切り板１１０は、第二ろ過槽１１の筒壁１１１に栓で固定され、かつろ過されていない水が第三ろ過槽１２へ漏れることを防止するために、シールリング１１２が設けられている。
【００２１】
更に、ろ過筒内の圧力を測定するために、各ろ過筒の上方に圧力メーター１３が設けられている。ろ過筒内の圧力が設定値を超えたときは、各ろ過筒内の第一ろ過槽１０の微孔性濾過芯２、または第二ろ過槽１１のバイオケミカル濾過芯３、または第三ろ過槽１２の多機能型濾過芯４に大量の不純物が存在することを意味し、逆洗を行うために逆洗管５４の作業が起動される。
【００２２】
連通管５は、各ろ過筒の間に設置されている。各ろ過筒は出水管５０を有し、出水管５０は第三ろ過槽１２の片方に設置されている。出水管の開閉作業を制御するために、出水管５０の遠端には多機能型制御バルブ５００を設置され、出水管５０から、ろ過済みの純水が流出し利用される。
【００２３】
更に、入水管５１が設けられており、入水管５１の一端には、多機能型制御バルブ５１０が図４から図６で示すように設けられている。入水管５１の他端は、第一ろ過槽１０と接続する。入水管５１を利用して、ろ過待ちの水は第一ろ過槽の中へ入れられる。
【００２４】
また排圧管５２が設けられ、排圧管５２には排圧バルブ５２０が設けられている。排圧管５２の一端は入水管５１に接続されている。この排圧管５２を利用することによって、ろ過筒内の高すぎる圧力を適時に放出し、ろ過筒の安全と使用寿命が確保される。
【００２５】
また汚水管５３が設けられ、汚水管５３の一端には多機能型制御バルブ５３０が設けられ、汚水管５３の他端は上第一ろ過槽１０と接続されている。この汚水管５３を利用して、ろ過筒で逆洗を行った後、汚水は第一ろ過槽１０を通して外部へ排出される。
【００２６】
また、各ろ過筒１の間には逆洗管５４が設けられている。逆洗管５４には流量バルブ５４０が設けられている。この逆洗管５４を利用して、別のろ過筒へ純水を入れ、逆洗作業を行い、逆洗後の各濾過芯の清潔さが確保される。
【００２７】
上述の本実施形態の複数のろ過筒１は、同時作動が可能で、水のろ過作業を行ってから、ろ過完成の純水は出水管５０を通って送り出される。本実施形態では、一部のろ過筒のみがろ過作業を行い、他のろ過筒は逆洗作業を行うが、逆洗作業を行うろ過筒とろ過作業を行うろ過筒とは、随時に図６で示すように交換作業を行うことができる。そのため本実施形態では、機械を停止せずに、随時、ろ過と逆洗の作業を行うことができ、各ろ過筒の作業が正常に維持される。
【００２８】
またその中の一つのろ過筒、または一部のろ過筒において、圧力メーター１３がろ過筒の中の圧力が予定値を超えたと測定した場合は、ろ過筒内の第一ろ過槽１０の微孔性濾過芯２、または第二ろ過槽１１のバイオケミカル濾過芯３、または第三ろ過槽１２の多機能型濾過芯４に、大量の不純物が存在していることを意味する。あるいは、この場合、第一ろ過槽１０の微孔性濾過芯２、第二ろ過槽１１のバイオケミカル濾過芯３、および第三ろ過槽１２の多機能型濾過芯４に大量の不純物が存在していることを意味する。
【００２９】
このとき、本実施形態の制御装置は、自動的に逆洗機能を起動すると同時に、図５に示すように、ろ過筒Ｂに逆洗が必要である場合、その入水管５１の一端にある多機能型制御バルブ５１０は閉鎖するが、ろ過筒Ａの入水管５１の一端にある多機能型制御バルブ５１０は持続して開放する。
【００３０】
これによって、ろ過筒Ａは持続してろ過作業を行い、両ろ過筒の間に設置された逆洗管５４の流量バルブ５４０も開放されているので、ろ過筒Ａの純水は、逆洗管５４を通してろ過筒Ｂの中へ進入する。純水は、ろ過筒Ｂの内部にある第一ろ過槽１０の微孔性濾過芯２、あるいは第二ろ過槽１１のバイオケミカル濾過芯３、あるいは第三ろ過槽１２の多機能型濾過芯４に対して逆洗作業を行う。その結果、第一ろ過槽１０の微孔性濾過芯２、第二ろ過槽１１のバイオケミカル濾過芯３、および第三ろ過槽１２の多機能型濾過芯４に付着している不純物は、逆洗作業によって洗浄され、かつその不純物を含んでいる汚水は、ろ過筒Ｂの第一ろ過槽１０を通して、汚水管５３から外部へ排出する。逆にろ過筒Ａはろ過が必要であるときも、同じである。
【００３１】
上記によると、本発明は、純水によって逆洗を行うので、逆洗後、各ろ過筒の第一ろ過槽の微孔性濾過芯、第二ろ過槽のバイオケミカル濾過芯、および第三ろ過槽の多機能型濾過芯の清潔さが保たれ、逆洗によって不純物が除去されるために、実用面において特に優れた効果を有する。
【図面の簡単な説明】
【００３２】
【図１】本発明の一実施形態による水処理ろ過装置の正面図である。
【図２】本発明の一実施形態による水処理ろ過装置の断面図である。
【図３】本発明の一実施形態による水処理ろ過装置の部分拡大断面図である。
【図４】本発明の一実施形態による水処理ろ過装置の側面図である。
【図５】本発明の一実施形態による水処理ろ過装置の平面図である。
【図６】本発明の一実施形態による水処理ろ過装置のろ過筒の交換作業を示す平面図である。
【符号の説明】
【００３３】
１：ろ過筒、１０：第一ろ過槽、１００：仕切り板、１０１：筒壁、１０２：シールリング、１１：第二ろ過槽、１１０：仕切り板、１１１：筒壁、１１２：シールリング、１２：第三ろ過槽、１３：圧力メーター、２：微孔性濾過芯、２０：濾過芯、２１：内部通路、２２：出口、２３：超音波装置、３：バイオケミカル濾過芯、３０：出水口、３１：デバイス、３２：濾過芯台座、３３：出口、４：多機能型濾過芯、４０：入口、４１：デバイス、４２：濾過芯台座、４３：入口、５：連通管、５０：出水管、５００：多機能型制御バルブ、５１：入水管、５１０：多機能型制御バルブ、５２：排圧管、５２０：排圧バルブ、５３：汚水管、５３０：多機能型制御バルブ、５４：逆洗管、５４０：流量バルブ
【図１】
2009233623.tif 000003
【図２】
2009233623.tif 000004
【図３】
2009233623.tif 000005
【図４】
2009233623.tif 000006
【図５】
2009233623.tif 000007
【図６】
2009233623.tif 000008